(57)【要約】【課題】記録液カートリッジに収納する記録液の種類が多種多様化しているが、多くの情報を持たせることができない。【解決手段】カートリッジケース１０２の供給側前面には、このインクカートリッジ１０に関する情報に対応する二次元に配置された、複数の凹部２０１〜２０３で構成される嵌合部１６０を形成し、かつ、この嵌合部１６０を構成する複数の凹部２０１〜２０３はカートリッジケース１０２の側面側を開口して形成し、カートリッジ装填部４の装填口４００の奥面には、インクカートリッジ１０の嵌合部１６０を構成する凹部２０１〜２０３と嵌合可能又は嵌合不能な凸部４０１〜４０３で構成される嵌合部４０５を形成してた。【選択図】図４
2007106084.tif 000002
【特許請求の範囲】
【請求項１】
内部に記録液を収容した記録液収容手段をカートリッジケース内に収納した記録液カートリッジにおいて、前記カートリッジケースは、記録液供給側の前面にこの記録液カートリッジに関する情報に対応する二次元に配置された１又は複数の凹部が形成され、かつ、この凹部は側面側が開口されていることを特徴とする記録液カートリッジ。
【請求項２】
請求項１に記載の記録液カートリッジにおいて、前記記録液カートリッジに関する情報は前記記録液の色に関する情報であることを特徴とする記録液カートリッジ。
【請求項３】
請求項１又は２に記載の記録液カートリッジにおいて、前記記録液カートリッジに関する情報は前記記録液の性質に関する情報であることを特徴とする記録液カートリッジ。
【請求項４】
請求項１ないし３のいずれかに記載の記録液カートリッジにおいて、前記記録液カートリッジに関する情報は前記記録液の容量に関する情報であることを特徴とする記録液カートリッジ。
【請求項５】
請求項１ないし４のいずれかに記載の記録液カートリッジにおいて、前記記録液カートリッジに関する情報は付加価値に関する情報であることを特徴とする記録液カートリッジ。
【請求項６】
請求項５に記載の記録液カートリッジにおいて、前記付加価値に関する情報は記録液カートリッジに関する情報を記憶する記憶素子の有無に関する情報であることを特徴とする記録液カートリッジ。
【請求項７】
記録液滴を吐出する記録ヘッドを備えた画像形成装置において、請求項１ないし６のいずれかに記載の記録液カートリッジを装填するカートリッジ装填部を備え、このカートリッジ装填部には、前記記録液カートリッジのカートリッジケースの記録液供給側の前面に設けられる１又は複数の凹部が嵌合可能又は嵌合不能な凸部が形成されていることを特徴とする画像形成装置。
【請求項８】
請求項７に記載の画像形成装置において、前記凸部が複数設けられ、かつ、複数の凸部は架橋部を介して一体に形成されていることを特徴とする画像形成装置。
【発明の詳細な説明】
【技術分野】
【０００１】
本発明は記録液カートリッジ及び画像形成装置に関する。
【背景技術】
【０００２】
一般に、プリンタ／ファックス／コピア或いはこれらの機能を複合した画像形成装置としては、例えば、記録液の液滴を吐出する液体吐出ヘッドで構成した記録ヘッドを用いて、記録ヘッドをキャリッジに搭載して走査し、被記録媒体（以下「用紙」ともいうが材質を限定するものではなく、また、記録媒体、転写材なども同義で使用する。）を完結的に搬送しながら、記録液の液滴（以下、インク滴ともいう。）を用紙に付着させて画像形成（記録、印刷、印写、印字も同義語で用いる。）を行うシリアル型のインクジェット記録装置が知られている。また、ライン型記録ヘッドを備えたライン型のインクジェット記録装置も知られている。
【０００３】
このような画像形成装置において記録ヘッドに供給する記録液を保持した記録液カートリッジ、例えばインクカートリッジとしては、特許文献１に記載されているように、内部にインクを収容し、外部にインクを供給するために供給口部を有するインク袋を、組み立て及び分解可能な第１、第２、第３の筺体（カートリッジケース）で構成される筺体内に収納したものが知られている。そして、この特許文献１に記載のインクカートリッジでは、インクの色に応じて装置本体側との位置関係を規定する位置決め用のリブを設けている。
【特許文献１】特開２００４−１９５９６２号公報
【０００４】
また、特許文献２には、記録ヘッドを有するカートリッジの前面に、カートリッジ保持手段の保持手段側電極に対して電気的に接続されるカートリッジ側電極が形成されている電気的コネクト部が設けられ、前面に対向する後面に、インクジェット記録装置の本体に設置されたメインタンクから記録ヘッドにインクを供給するための供給手段が接続されるインクコネクタ部が設けられているカートリッジが記載されている。
【特許文献２】特開２００２−３０７６７３号公報
【発明の開示】
【発明が解決しようとする課題】
【０００５】
ところで、インクジェット記録装置で用いられる記録液としてのインクは、より高画質印刷を可能にするために日々進化しており、その種類も多種多様化している。インクジェット記録用インクには、そのインクに対して最適な吐出装置、インク送液方法、インク吐出方法があり、その関係を一致させることで、ユーザーに対し、安定した吐出や最高品位の印刷物を作製することができる。
【０００６】
しかしながら、従来の記録液カートリッジではリブと凹部などの手段しか持たず、多種多様化する記録液に対応することができなくなっているという課題がある。
【０００７】
本発明は上記課題に鑑みてなされたものであり、保持できる情報数を増やすことができるとともに製造工程も容易な記録液カートリッジ及びこの記録液カートリッジを装填する画像形成装置を提供することを目的とする。
【課題を解決するための手段】
【０００８】
上記の課題を解決するため、本発明に係る記録液カートリッジは、カートリッジケースの記録液供給側の前面にこの記録液カートリッジに関する情報に対応する二次元に配置された１又は複数の凹部を形成され、かつ、この凹部は側面側が開口されている構成とした。
【０００９】
ここで、記録液カートリッジに関する情報は、記録液の色に関する情報、記録液の性質に関する情報、記録液の容量に関する情報、付加価値、例えばカートリッジに関する情報を記憶する記憶素子の有無に関する情報とすることができる。
【００１０】
本発明に係る画像形成装置は、本発明に係る記録液カートリッジを装填するカートリッジ装填部を備え、このカートリッジ装填部には、記録液カートリッジのカートリッジケースの記録液供給側の前面に設けられる１又は複数の凹部が嵌合可能又は嵌合不能な凸部が形成されている構成とした。
【００１１】
ここで、凸部が複数設けられ、かつ、複数の凸部は架橋部を介して一体に形成されていることが好ましい。
【発明の効果】
【００１２】
本発明に係る記録液カートリッジによれば、カートリッジケースの記録液供給側の前面にこの記録液カートリッジに関する情報に対応する二次元に配置された１又は複数の凹部が形成され、かつ、この凹部は側面側が開口されている構成としたので、保持できる情報数が増加すると、カートリッジ装着部側の凸部の強度を高くして破損すること防止できるようになる。
【００１３】
本発明に係る画像形成装置によれば、本発明に係る記録液カートリッジを装填するカートリッジ装填部を備え、このカートリッジ装填部には、記録液カートリッジのカートリッジケースの記録液供給側の前面に設けられる１又は複数の凹部が嵌合可能又は嵌合不能な凸部が形成されている構成としたので、装填される記録液カートリッジに関する多くの情報を取得することができる。
【発明を実施するための最良の形態】
【００１４】
以下、本発明の実施の形態について添付図面を参照して説明する。図１は本発明に係る記録液カートリッジを装着した本発明に係る画像形成装置としてのインクジェット記録装置を前方側から見た斜視説明図である。
このインクジェット記録装置は、装置本体１と、装置本体１に装着された用紙を装填するための給紙トレイ２と、装置本体１に着脱自在に装着されて画像が記録（形成）された用紙をストックするための排紙トレイ３とを備えている。さらに、装置本体１の前面の一端部側（給排紙トレイ部の側方）には、記録液カートリッジであるインクカートリッジを装填するためのカートリッジ装填部４を有し、このカートリッジ装填部４の上面は操作ボタンや表示器などを設ける操作／表示部５としている。
【００１５】
このカートリッジ装填部４には、色の異なる色材である記録液（インク）、例えば黒（Ｋ）インク、シアン（Ｃ）インク、マゼンタ（Ｍ）インク、イエロー（Ｙ）インクをそれぞれ収容した複数のインクカートリッジ（メインタンク）１０ｋ、１０ｃ、１０ｍ、１０ｙ（色を区別しないときは「インクカートリッジ１０」という。）を、装置本体１の前面側から後方側に向って挿入して装填可能とし、このカートリッジ装填部４の前面側には、インクカートリッジ１０を着脱するときに開く前カバー（カートリッジカバー）６を開閉可能に設けている。
【００１６】
次に、このインクジェット記録装置の機構部について図２及び図３を参照して説明する。なお、図２は同機構部の概要を示す側面模式的説明図、図３は同じく要部平面説明図である。
ガイド部材であるガイドロッド３１とステー３２とでキャリッジ３３を主走査方向に摺動自在に保持し、図示しない主走査モータによってタイミングベルトを介して図３で矢示方向（キャリッジ主走査方向）に移動走査する。
【００１７】
このキャリッジ３３には、前述したようにイエロー（Ｙ）、シアン（Ｃ）、マゼンタ（Ｍ）、ブラック（Ｂｋ）の各色のインク滴を吐出する４個の液滴吐出ヘッド（以下「ヘッド」という。）３４ａ〜３４ｄからなる記録ヘッド３４を複数のインク吐出口を主走査方向と交叉する方向に配列し、インク滴吐出方向を下方に向けて装着している。
【００１８】
記録ヘッド３４のヘッドを構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するための圧力を発生する圧力発生手段として備えたものなどを使用できる。
【００１９】
また、キャリッジ３３には、記録ヘッド３４に各色のインクを供給するための各色のヘッドタンク３５ｙ１、３５ｍ１、３５ｋ、３５ｃ、３５ｍ２、３５ｙ２（色を区別しないときは「ヘッドタンク３５」という。）を搭載している。この各色のヘッドタンク３５には各色のインク供給チューブ３６を介して、前述したように、カートリッジ装填部４に装着された各色のインクカートリッジ１０から各色のインクが補充供給される。なお、このカートリッジ装填４にはインクカートリッジ１０内のインクを送液するための供給ポンプユニット２４が設けられている。
【００２０】
一方、給紙トレイ２の用紙積載部（圧板）４１上に積載した用紙４２を給紙するための給紙部として、用紙積載部４１から用紙４２を１枚ずつ分離給送する半月コロ（給紙コロ）４３及び給紙コロ４３に対向し、摩擦係数の大きな材質からなる分離パッド４４を備え、この分離パッド４４は給紙コロ４３側に付勢されている。
【００２１】
そして、この給紙部から給紙された用紙４２を記録ヘッド３４の下方側に送り込むために、用紙４２を案内するガイド部材４５と、カウンタローラ４６と、搬送ガイド部材４７と、先端加圧コロ４９を有する押さえ部材４８とを備えるとともに、給送された用紙４２を静電吸着して記録ヘッド３４に対向する位置で搬送するための搬送手段である搬送ベルト５１を備えている。
【００２２】
この搬送ベルト５１は、無端状ベルトであり、搬送ローラ５２とテンションローラ５３との間に掛け渡されて、ベルト搬送方向（副走査方向）に周回するように構成している。また、この搬送ベルト５１の表面を帯電させるための帯電手段である帯電ローラ５６を備えている。この帯電ローラ５６は、搬送ベルト５１の表層に接触し、搬送ベルト５１の回動に従動して回転するように配置されている。
【００２３】
この搬送ベルト５１は、図示しない副走査モータによってタイミングを介して搬送ローラ５２が回転駆動されることによって図３のベルト搬送方向に周回移動する。
【００２４】
さらに、記録ヘッド３４で記録された用紙４２を排紙するための排紙部として、搬送ベルト５１から用紙４２を分離するための分離爪６１と、排紙ローラ６２及び排紙コロ６３とを備え、排紙ローラ６２の下方に排紙トレイ３を備えている。
【００２５】
また、装置本体１の背面部には両面ユニット７１が着脱自在に装着されている。この両面ユニット７１は搬送ベルト５１の逆方向回転で戻される用紙４２を取り込んで反転させて再度カウンタローラ４６と搬送ベルト５１との間に給紙する。また、この両面ユニット７１の上面は手差しトレイ７２としている。
【００２６】
さらに、図３に示すように、キャリッジ３３の走査方向一方側の非印字領域には、記録ヘッド３４のノズルの状態を維持し、回復するための回復手段を含む維持回復機構８１を配置している。維持回復機構８１には、記録ヘッド３４の各ノズル面をキャピングするための各キャップ部材（以下「キャップ」という。）８２ａ〜８２ｄ（区別しないときは「キャップ８２」という。）と、ノズル面をワイピングするためのブレード部材であるワイパーブレード８３と、増粘した記録液を排出するために記録に寄与しない液滴を吐出させる空吐出を行うときの液滴を受ける空吐出受け８４などを備えている。ここでは、キャップ８２ａを吸引及び保湿用キャップとし、他のキャップ８２ｂ〜８２ｄは保湿用キャップとしている。
【００２７】
また、図３に示すように、キャリッジ３３の走査方向他方側の非印字領域には、記録中などに増粘した記録液を排出するために記録に寄与しない液滴を吐出させる空吐出を行うときの液滴を受ける空吐出受け８８を配置し、この空吐出受け８８には記録ヘッド３４のノズル列方向に沿った開口８９などを備えている。
【００２８】
このように構成したインクジェット記録装置においては、給紙トレイ２から用紙４２が１枚ずつ分離給紙され、略鉛直上方に給紙された用紙４２はガイド４５で案内され、搬送ベルト５１とカウンタローラ４６との間に挟まれて搬送され、更に先端を搬送ガイド３７で案内されて先端加圧コロ４９で搬送ベルト５１に押し付けられ、略９０°搬送方向を転換される。このとき、用紙４２は搬送ベルト５１に吸着され、搬送ベルト５１の周回移動によって用紙４２が副走査方向に搬送される。
【００２９】
そこで、キャリッジ３３を移動させながら画像信号に応じて記録ヘッド３４を駆動することにより、停止している用紙４２にインク滴を吐出して１行分を記録し、用紙４２を所定量搬送後、次の行の記録を行う。記録終了信号又は用紙４２の後端が記録領域に到達した信号を受けることにより、記録動作を終了して、用紙４２を排紙トレイ３に排紙する。
【００３０】
次に、このインクジェット記録装置で使用している本発明に係る記録液カートリッジであるインクカートリッジについて図４以降をも参照して説明する。図４は同インクカートリッジの斜視説明図、図５は同カートリッジの側面説明図、図６は同インクカートリッジの第１ケースの斜視説明図、図７は同じく第２ケースの斜視説明図である。
【００３１】
この記録液カートリッジ１０は、カートリッジケース（筺体）１０２内に記録液であるインクを収容した記録液収容手段であるインク袋１０３を収納したものである。このカートリッジケース１０２は、分解及び組立て可能に２分割された第１ケース（ベース）１２１と第２ケース（ケース）１２２とで構成されている。
【００３２】
そして、カートリッジケース１０２には内部に収納したインク袋１０３のインク供給口部１３１に対応して開口部１２３を形成している。この開口部１２３は、第１ケース１２１の開口部部分１２３Ａと第２ケース１２２の開口部部分１２３Ｂとによって形成される。
【００３３】
このインクカートリッジ１０をカートリッジ装填部４に装着したときに、カートリッジ装着部４の奥側に設けた中空針がインク袋１０３の供給口部１３１内に刺通されて、インク袋１０３内部と供給ポンプユニット２４とが連通状態となり、インク袋１０３内のインクを装置本体１側に供給可能になる。
【００３４】
次に、インクカートリッジ１０のカートリッジケース１０２の外面には、装置本体１のカートリッジ装着部４に対する着脱方向後側（供給口部１３１と反対側の面）に、インクカートリッジ１０をカートリッジ装着部４に対して抜き差しするときに操作者の指を掛けることが可能な部分（把持部という。）１２５〜１２７を形成している。なお、把持部１２５〜１２５は、第１ケース１２１の把持部部分１２５Ａ〜１２７Ａと第２ケース１２２の把持部部分１２５Ｂ〜１２７Ｂとで形成される。
【００３５】
ここで、把持部１２５はカートリッジケース１０２の上側部分に、把持部１２７はカートリッジケース１０２の下側部分に、把持部１２６はカートリッジケース１０２の中間部分に設けている。
【００３６】
したがって、装置本体１のカートリッジ装着部４に対してインクカートリッジ１０を装着し、あるいは装着されたインクカートリッジ１０を抜くときには、操作者は、自分の手の大きさなどに応じて、カートリッジケース１０２の上側の把持部１２５と中間の把持部１２６とに指を掛けて把持し、あるいは、カートリッジケース１０２の上側の把持部１２５と下側の把持部１２７とに指を掛けて把持して、インクカートリッジ１０の抜き差しを行うことができる。
【００３７】
このように、カートリッジケースには装置本体に対する着脱方向後側に抜き差しするときに操作者の指を掛けることが可能な部分が３箇所以上設けられている構成としたので、指を掛ける箇所の選択の余地が広がって装置本体に対する抜き差し操作の操作性が向上する。
【００３８】
次に、カートリッジケース１０２は、上述したように第１ケース１２１と第２ケース１２２とによって分解及び組立て可能にされ、図８に示すように第１ケース１２１に設けた爪部１４１と第２ケース１２２に設けた爪受け部１４２とを嵌め合わせることによって組み立てることができる（なお、爪部と爪受け部との関係は逆であってもよい。）
【００３９】
ここで、第１ケース１２１に設けた爪部１４１と第２ケース１２２に設けた爪受け部１４２には、それぞれ強度を補強する補強リブ１４３、１４４を設けている。
【００４０】
これによって、カートリッジの落下などの衝撃に対し、嵌合部分がより強くなり、収容記録液重量の増加などにも耐えうる構成となって、収容記録液容量に対する選択の幅が増える。
【００４１】
次に、このインクカートリッジ１０における位置決め部及び情報保持部について図８ないし図１１をも参照して説明する。なお、図８は４種類のインクカートリッジを前面側から見た説明図、図９は同インクカートリッジの嵌合部の要部拡大図、図１０はカートリッジ装填部を正面から見た説明図、図１１は同カートリッジ装填部に設けるインクカートリッジの嵌合部に対応する嵌合部の要部拡大図である。
【００４２】
先ず、図８に示すように、インクカートリッジ１０のカートリッジケース１０２の上面には、カートリッジ装填部４に装着するときのガイド及び位置決め部材となるガイド部１５１及び位置決め部１５２を形成し、また、カートリッジケース１０２の下面にはリブ１５３、１５４を形成している。これらのリブ１５３、１５４は、このインクカートリッジ１０に関する情報、例えば収容しているインクの色に応じて予め定めた間隔で形成することで、他のインクカートリッジと区別可能としている。
【００４３】
他方、図１０に示すように、カートリッジ装填部４にはインクカートリッジ１０を装填するための装填口４００ｋ、４００ｃ、４００ｍ、４００ｙ（区別しないときは「装填口４００」という。）を有し、各装填口４００には、インクカートリッジ１０のカートリッジケース１０２上面のガイド部１５１及び位置決め部１５２が嵌合する溝部１７１、１７２を形成し、また、カートリッジケース１０２の下面のリブ１５３、１５４が嵌合する溝部１７３、１７４を形成している。これらの溝部１７３、１７４は装填されるべきインクカートリッジ１０のリブ１５３、１５４の間隔に対応して形成される。
【００４４】
これにより、例えば、所定の色のインクカートリッジ１０は所定の装填口４００にしか装填することができなくなる。
【００４５】
さらに、図８及び図９に示すように、カートリッジケース１０２の供給側前面には、このインクカートリッジ１０に関する情報に対応する二次元に配置された複数の凹部２０１〜２０３で構成される嵌合部１６０を形成し、かつ、この嵌合部１６０を構成する複数の凹部２０１〜２０３はカートリッジケース１０２の側面側を開口して形成している。
【００４６】
ここで、嵌合部１６０は、カートリッジケース１０２の前面側から見て、例えば、カートリッジケース１０２の側面に沿う方向及び側面に沿う方向と直交する方向の二次元方向に連続した略Ｌ字状の（略とは各辺の長さが略同じという意味）凹部２０１と、カートリッジケース２０１の側面に沿う方向と直交する方向の一次元の凹部２０２、２０３とを二次元に配置している。これら凹部２０１の向き、凹部２０１〜２０３の配置順序を保持する情報に応じて異ならせることによって、それぞれ異なる情報を表わすことができる。
【００４７】
また、これらの凹部２０１〜２０３のカートリッジケース１０２の側面側はそれぞれ側面側に開口した開口部となる架橋部２０４にて架橋している。さらに、カートリッジケース１０２を構成する第１ケース１２１、第２ケース１２２にそれぞれ嵌合部１６０を設けている。ただし、第１、第２ケース１２１，１２２の一方にだけ嵌合部１６０を設けることもできるし、第１、第２ケース１２１，１２２で凹部２０１の向き、凹部２０１〜２０３の配置順序を異ならせることもできる。
【００４８】
他方、図１０及び図１１に示すように、カートリッジ装填部４の装填口４００の奥面には、インクカートリッジ１０の嵌合部１６０を構成する凹部２０１〜２０３と嵌合可能又は嵌合不能な凸部４０１〜４０３で構成される嵌合部４０５を形成している。これらの凸部４０１〜４０３は、インクカートリッジ１０の側面側に開口した架橋部２０４が形成されているので、この架橋部２０４に対応した架橋部４０４で一体化されており、これによって、カートリッジ装填部４側の凸部４０１〜４０３の強度が向上する。つまり、カートリッジ装填部４側の凸部が例えばピン形状などである場合、インクカートリッジ１０が無理やり押し込まれると損傷してしまうことがあるが、このように凸部４０１〜４０３を架橋部４０４で連結して一体化することで損傷を防止できる。
【００４９】
これらのインクカートリッジ１０側の嵌合部１６０とカートリッジ装填口４００側の嵌合部４０５とは、凹部２０１の向き、凹部２０１、２０２、２０３の配置順序を異ならせることによって、図１２に示すように、６種類の異なる情報を持たせることができる。なお、図１６はインクカートリッジ１０側の嵌合部１６０の凹部２０１の向き、凹部２０１、２０２、２０３の配置順序が異なるときにカートリッジ装填口４００側の嵌合部４０５の凸部４０１の向き、凸部４０１、４０２、４０３の配置順序が同じでなければ嵌合しないことを説明するための説明図である。
【００５０】
このように、カートリッジケースの記録液供給側の前面にこの記録液カートリッジに関する情報に対応する二次元に配置された複数の凹部が形成され、かつ、この凹部は側面側が開口されている構成とすることで、保持できる情報数が増加すると、カートリッジ装着部側（装填部側）の凸部の強度を高くして破損すること防止できるようになる。
【００５１】
なお、インクカートリッジ側の嵌合部を構成する凹部、カートリッジ装填口側の嵌合部を構成する凸部の形状は上記実施形態に限るものではなく、例えば、図１３に示すように、上述した凹部２０１と同形状の２つの凹部２１１、２１２で構成して、凹部２１１、２１２の向きを異ならせることによって、カートリッジ装填口側の嵌合部２０５を構成する凸部４１１、４１２も対応しない限り嵌合不能となるので、このような構成でも４種類の情報を持たせることができる。また、これらを組み合わせることによって、図１４に示すように、１０種類の異なる情報を持たせることができる。
【００５２】
ここで、インクカートリッジ１０の嵌合部１６０に持たせるインクカートリッジ１０に関する情報としては、例えば、記録液の色に関する情報、記録液の性質に関する情報、記録液の容量に関する情報、記録液の付加価値に関する情報、記録液に関する情報を記憶する記録手段の有無に関する情報などを割り当てることができる。
【００５３】
記録液の色に関する情報を持たせることで同製品での色に対するユーザーの誤挿入を防ぐことができる。記録液の性質に関する情報を持たせることで同じ色であっても異なる性質の記録液の違いによる誤挿入を防ぐことができる。記録液の容量に関する情報を持たせることで同色での同性質であるが容量の違いによる誤挿入を防ぐことができ、あるいは、例えばメンテナンスに多量の記録液が必要な装置あるいは記録液の送液方法が異なる装置への誤挿入を防ぐことができる。付加価値に関する情報を持たせることで同色、同性質、同容量であってもカートリッジの検知方法等、付加価値が違うことによる誤挿入を防ぐことができる。また、付加価値に関する情報として記憶素子の有無に関する情報を持たせることで誤挿入を防ぐことができるとともに、装置本体側での記憶素子の有無判別を迅速に行うことができる。
【００５４】
次に、インクカートリッジ１０のカートリッジケース１０２に異なる情報を持たせる構成の他の例について図１５及び図１６を参照して説明する。
図１５の例は、インクカートリッジ１０Ａ、１０Ｂ間で位置決め部１５２Ａ、１５２Ｂの厚さを異ならせることによって異なる情報を持たせるようにした例である。図１６の例は、インクカートリッジ１０Ａ、１０Ｂ、１０Ｃ間で、高さＨＡ、ＨＢ、ＨＣ及び幅ＤＡ、ＤＢ、ＤＣを異ならせる（少なくとも一方でも良い。）ことによって異なる情報を持たせるようにした例である。
【００５５】
また、上記実施形態では、メインタンクとして使用するインクカートリッジに本発明を適用したが、図１７に示すように、ガイドロッド５０１に摺動自在に装着されたキャリッジ５０３にカートリッジ装填口５０４を設けて、このカートリッジ装填口部５０４にインクカートリッジ５１０を装填する構成の画像形成装置にも同様に適用することができる。
【図面の簡単な説明】
【００５６】
【図１】本発明に係る画像形成装置としてのインクジェット記録装置の前方側から見た斜視説明図である。
【図２】同装置の機構部の全体構成を説明する側面概略構成図である。
【図３】同機構部の要部平面説明図である。
【図４】本発明に係る記録液カートリッジの外観斜視説明図である。
【図５】同じく側面説明図である。
【図６】同カートリッジの第１ケースの斜視説明図である。
【図７】同カートリッジの第２ケースの斜視説明図である。
【図８】同画像形成装置に装填する記録液カートリッジを前面側から見た説明図である。
【図９】同カートリッジの嵌合部の拡大説明図である。
【図１０】同画像形成装置のカートリッジ装填部を正面側から見た説明図である。
【図１１】同カートリッジ装填部の装填口の嵌合部の拡大説明図である。
【図１２】カートリッジ側の嵌合部と装填口側の嵌合部との嵌合可能／不能状態の説明に供する説明図である。
【図１３】嵌合部の他の例の嵌合可能／不能状態の説明に供する説明図である。
【図１４】嵌合部の他の例の嵌合可能／不能状態の説明に供する説明図である。
【図１５】記録液カートリッジの位置決め部の厚さを異ならせた例を説明する説明図である。
【図１６】記録液カートリッジの高さ、厚さを異ならせた例を説明する説明図である。
【図１７】本発明を適用する他の画像形成装置の要部を説明する斜視説明図である。
【符号の説明】
【００５７】
１…装置本体
２…給紙トレイ
３…排紙トレイ
４…カートリッジ装填部
１０、１０ｋ、１０ｃ、１０ｍ、１０ｙ…インクカートリッジ
３３…キャリッジ
３４…記録ヘッド
３５…サブタンク
５１…搬送ベルト
１０２…カートリッジケース
１０３…インク袋
１２１…第１ケース
１２２…第２ケース
１６０…嵌合部
２０１〜２０３…凹部
２０４…開口を形成する架橋部
４００…カートリッジ装填口
４０１〜４０３…凸部
４０４…架橋部
４０５…嵌合部
【図１】
2007106084.tif 000003
【図２】
2007106084.tif 000004
【図３】
2007106084.tif 000005
【図４】
2007106084.tif 000006
【図５】
2007106084.tif 000007
【図６】
2007106084.tif 000008
【図７】
2007106084.tif 000009
【図８】
2007106084.tif 000010
【図９】
2007106084.tif 000011
【図１０】
2007106084.tif 000012
【図１１】
2007106084.tif 000013
【図１２】
2007106084.tif 000014
【図１３】
2007106084.tif 000015
【図１４】
2007106084.tif 000016
【図１５】
2007106084.tif 000017
【図１６】
2007106084.tif 000018
【図１７】
2007106084.tif 000019